(57)【要約】【課題】カメラ動作停止時においても、表示手段に省電力化を図りながらカメラ情報等を表示させ、常にカメラ等の状態を把握できるようにしたカメラ及び携帯機器を提供する。【解決手段】通電停止後も光透過特性を保持するエレクトロクロミック素子を用いて表示パネル４０を構成し、カメラ動作終了時に電源ボタン４９をＯＦＦにすると、主ＣＰＵ−Ａ３８関連のシステムがＯＦＦになる前に、副ＣＰＵ−Ｂ３９により電池残量及び撮影可能枚数を判断して表示パネルに表示したのち、主ＣＰＵ−Ａ関連システムを停止させるように構成する。【選択図】        図４
2004219679.tif 000002
【特許請求の範囲】
【請求項１】
カメラの動作停止を指示する指示手段と、通電により変化した光透過特性が通電停止後も保持される性質を備えた表示素子を用いてカメラ情報を表示する表示手段と、該表示手段を制御する制御手段とを備え、前記制御手段は、前記指示手段によりカメラ動作が停止した後に、前記表示素子の保持された光透過特性によって表示がなされる保持表示によって、カメラに関する情報を表示させるように前記表示手段を制御することを特徴とするカメラ。
【請求項２】
前記制御手段は、カメラ動作中には、前記表示手段に通電してカメラに関する情報を表示するように制御することを特徴する請求項１に係るカメラ。
【請求項３】
前記制御手段は、カメラ動作中とカメラ動作停止中では異なる種類のカメラ情報を表示させるように前記表示手段を制御することを特徴する請求項２に係るカメラ。
【請求項４】
前記制御手段は、カメラ動作が一時停止状態にある場合には、当該一時停止状態にあることを通電停止後の保持された光透過特性の状態で表示するように前記表示手段を制御することを特徴する請求項２又は３に係るカメラ。
【請求項５】
前記制御手段は、前記指示手段によるカメラ動作の停止の指示があった直後に、停止指示直前のカメラ情報を通電によって表示してから、通電を停止するように前記表示手段を制御することを特徴する請求項１に係るカメラ。
【請求項６】
前記制御手段は、少なくとも電池残量又は記録媒体の残量に関する情報を表示するように、前記表示手段を制御することを特徴する請求項１〜５のいずれか１項に係るカメラ。
【請求項７】
前記制御手段は、前記カメラ動作停止後に、電池の交換又は電池蓋の開閉が検出された場合には、前記カメラ情報のうちの少なくとも電池残量に関する情報を通電して更新表示してから、当該更新された情報を保持表示するように前記表示手段を制御することを特徴とする請求項６に係るカメラ。
【請求項８】
前記制御手段は、前記カメラ動作停止後に、記録媒体の交換又は記録媒体保護蓋の開閉が検出された場合には、前記カメラ情報のうちの少なくとも記録媒体残量に関する情報を通電して更新表示してから、当該更新された情報を保持表示するように前記表示手段を制御することを特徴とする請求項６に係るカメラ。
【請求項９】
通電により変化した光透過特性が通電停止後も保持される性質を備えた表示素子を用いてカメラ情報を表示する表示手段と、コメント情報を入力するコメント入力手段と、前記表示手段を制御する制御手段とを備え、前記制御手段は、カメラ動作が停止した後に、前記表示素子の保持された光透過特性によって表示がなされる保持表示によって、前記コメント情報を表示させるように前記表示手段を制御することを特徴とするカメラ。
【請求項１０】
前記表示手段の表示素子は、エレクトロクロミック素子であることを特徴とする請求項１〜９のいずれか１項に係るカメラ。
【請求項１１】
機器の動作停止を指示する指示手段と、通電により変化した光透過特性が通電停止後も保持されるような性質を備えた表示素子を用いて機器情報を表示する表示手段と、前記表示手段を制御する制御手段とを備え、前記制御手段は、前記指示手段により機器動作が停止した後に、前記表示素子の保持された光透過特性によって表示がなされる保持表示によって、機器に関する情報を表示させるように前記表示手段を制御することを特徴とする携帯機器。
【請求項１２】
前記表示手段の表示素子は、エレクトロクロミック素子であることを特徴とする請求項１１に係る携帯機器。
【発明の詳細な説明】
【０００１】
【発明の属する技術分野】
この発明は、動作停止後も保持表示により各種情報を表示できるようにしたカメラ及び携帯機器に関する。
【０００２】
【従来の技術】
【特許文献１】特許第２９９０６９７号公報
【特許文献２】特開平１−２８８４９１号公報
【特許文献３】特開平８−２９８３１号公報
【０００３】
一般に、カメラ等の携帯機器は屋外での使用が多いので、電池残量や記録媒体の残量といった情報は、使用者にとって重要な情報である。例えばカメラでは、メインスイッチのＯＦＦ時にもＬＣＤからなる表示パネルに、表示セグメントを減らした節電モードで、これらの情報を表示をするようにしたカメラの表示装置が提案されている〔特許第２９９０６９７号公報（特許文献１）参照〕。
【０００４】
また、デジタルカメラでは、電源をＯＮにすると、電池残量、撮影可能枚数、撮影モード、画像モードといった内容が、専用のＬＣＤ表示パネル、又は構図を決めたり撮影された画像を確認するためのＬＣＤモニタ等に表示されるようになっている。撮影モード、画像モードといった情報については、撮影時に確認できればよいが、電池残量、撮影可能枚数といった情報は、使う前に確認しておきたい情報である。電池残量が少なければ、予備又は新品の電池を用意する必要があるし、撮影可能枚数が少なければ、新たなメモリカード（記録メディア）を準備する必要があるからである。
【０００５】
デジタルカメラは、銀塩カメラに比較して電力消費が激しいので、電源電池の残量の確認頻度が多く、電池残量や撮影記録枚数等を確認する場合は、デジタルカメラの電源をＯＮし、カメラ起動をまって、表示パネル及び又はＬＣＤモニタ等に表示された情報を確認することになる。そして、ただ単に、これらの情報を確認するだけであれば、情報確認後デジタルカメラの電源をＯＦＦにすることになる。
【０００６】
一方、電圧を印加することによって光透過率が変化し、その光透過率を保持するための持続的な駆動を必要としないエレクトロクロミック素子を用いた表示部を設け、媒体の記憶残量を表示するようにしたＩＣカードが、特開平１−２８８４９１号公報（特許文献２）で提案されている。また、エレクトロクロミック素子を用い、その光透過特性によって透過光量を制御するようにした撮像レンズ系の絞りユニットが、特開平８−２９８３１号公報（特許文献３）に開示されている。
【０００７】
【発明が解決しようとする課題】
上記特許文献１に開示されているように、メインスイッチをＯＦＦとしたときにも、表示パネルに通電し上記電池残量や記録媒体の残量等の表示をすることも考えられるが、表示パネルへの通電により電力を消費してしまい、表示の目的だけで電池残量が減ってしまうということになりかねない。
【０００８】
また電池残量や、撮影可能枚数等については、デジタルカメの電源がＯＮになっているときは、表示パネル、ＬＣＤモニタ等に表示されているが、電源がＯＦＦになっている状態では確認することができず、その都度電源をＯＮにして確認していた。このように、撮影に使用するのではなく、電池残量、撮影可能枚数といった情報のみを確認するのに、いちいちデジタルカメの電源をＯＮにするのは煩雑な作業である。
【０００９】
また、特許文献２には、エレクトロクロミック素子を表示部に用いたＩＣカードが提案されているが、単なる記録媒体にエレクトロクロミック素子を用いた表示部を設けると、記録媒体の著しいコストアップになる。また、媒体残量は確認可能であるが、それ以外の情報は確認できない。
【００１０】
本発明は、従来のカメラにおける表示手段の上記問題点を解消するためになされたもので、電池残量、撮影可能枚数等を電源がＯＦＦの状態でも確認できるようにしたカメラ及び携帯機器を提供することを目的とする。
【００１１】
【課題を解決するための手段】
上記問題点を解決するため、請求項１に係る発明は、カメラの動作停止を指示する指示手段と、通電により変化した光透過特性が通電停止後も保持される性質を備えた表示素子を用いてカメラ情報を表示する表示手段と、該表示手段を制御する制御手段とを備え、前記制御手段は、前記指示手段によりカメラ動作が停止した後に、前記表示素子の保持された光透過特性によって表示がなされる保持表示によって、カメラに関する情報を表示させるように前記表示手段を制御するようにしてカメラを構成するものである。
【００１２】
請求項２に係る発明は、請求項１に係るカメラにおいて、前記制御手段は、カメラ動作中には、前記表示手段に通電してカメラに関する情報を表示するように制御することを特徴するものである。
【００１３】
請求項３に係る発明は、請求項２に係るカメラにおいて、前記制御手段は、カメラ動作中とカメラ動作停止中では異なる種類のカメラ情報を表示させるように前記表示手段を制御することを特徴するものである。
【００１４】
請求項４に係る発明は、請求項２又は３に係るカメラにおいて、前記制御手段は、カメラ動作が一時停止状態にある場合には、当該一時停止状態にあることを通電停止後の保持された光透過特性の状態で表示するように前記表示手段を制御することを特徴するものである。
【００１５】
請求項５に係る発明は、請求項１に係るカメラにおいて、前記制御手段は、前記指示手段によるカメラ動作の停止の指示があった直後に、停止指示直前のカメラ情報を通電によって表示してから、通電を停止するように前記表示手段を制御することを特徴するものである。
【００１６】
請求項６に係る発明は、請求項１〜５のいずれか１項に係るカメラにおいて、前記制御手段は、少なくとも電池残量又は記録媒体の残量に関する情報を表示するように、前記表示手段を制御することを特徴するものである。
【００１７】
請求項７に係る発明は、請求項６に係るカメラにおいて、前記制御手段は、前記カメラ動作停止後に、電池の交換又は電池蓋の開閉が検出された場合には、前記カメラ情報のうちの少なくとも電池残量に関する情報を通電して更新表示してから、当該更新された情報を保持表示するように前記表示手段を制御することを特徴とするものである。
【００１８】
請求項８に係る発明は、請求項６に係るカメラにおいて、前記制御手段は、前記カメラ動作停止後に、記録媒体の交換又は記録媒体保護蓋の開閉が検出された場合には、前記カメラ情報のうちの少なくとも記録媒体残量に関する情報を通電して更新表示してから、当該更新された情報を保持表示するように前記表示手段を制御することを特徴とするものである。
【００１９】
請求項９に係る発明は、通電により変化した光透過特性が通電停止後も保持される性質を備えた表示素子を用いてカメラ情報を表示する表示手段と、コメント情報を入力するコメント入力手段と、前記表示手段を制御する制御手段とを備え、前記制御手段は、カメラ動作が停止した後に、前記表示素子の保持された光透過特性によって表示がなされる保持表示によって、前記コメント情報を表示させるように前記表示手段を制御するようにしてカメラを構成するものである。
【００２０】
請求項１０に係る発明は、請求項１〜９のいずれか１項に係るカメラにおいて、前記表示手段の表示素子は、エレクトロクロミック素子であることを特徴とするものである。
【００２１】
請求項１１に係る発明は、機器の動作停止を指示する指示手段と、通電により変化した光透過特性が通電停止後も保持されるような性質を備えた表示素子を用いて機器情報を表示する表示手段と、前記表示手段を制御する制御手段とを備え、前記制御手段は、前記指示手段により機器動作が停止した後に、前記表示素子の保持された光透過特性によって表示がなされる保持表示によって、機器に関する情報を表示させるように前記表示手段を制御するようにして携帯機器を構成するものである。
【００２２】
請求項１２に係る発明は、請求項１１に係る携帯機器において、前記表示手段の表示素子は、エレクトロクロミック素子であることを特徴とするものである。
【００２３】
【発明の実施の形態】
次に、実施の形態について説明する。図１の（Ａ）〜（Ｄ）は、本発明をデジタルカメラに適用した第１の実施の形態を示す図で、図１の（Ａ）は第１の実施の形態に係るデジタルカメラの前面から見た斜視図、図１の（Ｂ）は背面から見た斜視図、図１の（Ｃ）はメモリカード蓋を開いた状態を示す斜視図、図１の（Ｄ）は底面図である。図１の（Ａ）において、１はカメラ本体の上面に配置された表示パネル、２はストロボ、３はモードセレクタ、４はレリーズボタンであり、図１の（Ｂ）において、５はカメラ動作の停止・起動を指示する電源ボタン、６はメニューボタン、７は十字ボタン、８はファインダ、９はＬＣＤ表示部、１０はメモリカード蓋で、該メモリカード蓋１０の裏面には図１の（Ｃ）に示すように、爪１１が設けられていて、カメラ本体に設けられている係合部１２に係止されて、メモリカード蓋１０が閉じた状態に保持されるようになっている。更に、爪１１の先端部で、カメラ本体内部に配置されているメモリカード蓋１０の開閉を検知するためのマイクロスイッチ１３をＯＮ／ＯＦＦ操作するようになっている。
【００２４】
また、図１の（Ｃ）において、１４はメモリカード挿入部で、該挿入部１４の内部には、挿入されカードコネクタに接続されたメモリカードの側面に向かって発光する発光部と、カード側面で反射した光を受光する受光部を備えた反射光検出型のフォトセンサか、又は装着されたメモリカードによって発光光の受光が遮蔽されるようにメモリカードを挟んで対向するように配置した発光部と受光部を備えた通過光検出型のフォトセンサのいずれかを、メモリカード挿入部を構成する壁面に適宜配置して、メモリカードの交換あるいは挿着の有無の検出ができるようになっている。
【００２５】
図１の（Ｄ）において、１５は電池室に設けられた電池蓋で、１６は電池蓋１５の開閉つまみであり、開閉つまみ１６のスライドによる開閉動作に連動してＯＮ／ＯＦＦ操作されるマイクロスイッチが、カメラ本体内に設けられていて、電池蓋１５の開閉操作を検出できるようになっている。更に電池室内には、上記メモリカードの挿入部と同様に、反射光検出型のフォトセンサ又は通過光検出型のフォトセンサのいずれかが配置されていて、電池の交換あるいは装着の有無の検出ができるようになっている。なお、図１の（Ｂ）においては、電源のＯＮ／ＯＦＦをボタンタイプの電源ボタン５で操作するようにしたものを示したが、機械的なスイッチを用いて電源をＯＮ／ＯＦＦ操作するようにしてもよい。
【００２６】
次に、カメラ本体の上面に配置されている表示パネル１の構成、並びにその表示態様を中心に概略的な動作について説明する。表示パネル１はエレクトロクロミック素子を用いて構成されており、表示のために通電を行って変化された光透過特性は、通電停止後も、そのまま保持される性質を備えている。デジタルカメラに電池及びメモリカードを装着し、電源ボタン５を操作して電源をＯＮにすると、カメラシステムが起動し、ファインダ８又はＬＣＤ表示部９に構図を決めるための画像、電池残量、撮影可能枚数、撮影モード等といった情報が表示される。表示パネル１には、カメラ動作中も、図２の（Ａ）に示すように、電池残量表示部２１や撮影可能枚数表示部２２などにそれらの情報を表示するが、電源ＯＮ時には上記各種撮影情報がＬＣＤ表示部９に表示されているので、カメラ動作中は、表示パネル１上には表示しないようにしてもよい。なお、図２の（Ａ）における２３は電池残量警告表示で、警告時のみ赤、警告時以外は表示されないようになっている。
【００２７】
撮影を行いカメラ動作を終了させるため、電源ボタン５をＯＦＦにすると、デジタルカメラの主ＣＰＵ関連のシステムがＯＦＦになる前に、副ＣＰＵが電池残量及び撮影可能枚数を判断し、それらの情報を表示パネル１に表示したのちに、通電を停止して、保持表示させてデジタルカメラの主ＣＰＵ関連のシステムを停止させるようになっている。なお、表示パネル１への表示と主ＣＰＵの停止の順序は逆でもよい。これにより、エレクトロクロミック素子を用いた表示パネル１への表示は、電源ボタンのＯＦＦ操作後も持続され、電池残量や撮影可能枚数を確認することができる。
【００２８】
次に、カメラ動作停止中に、メモリカード（記録媒体）が交換された場合における表示パネル１の表示態様について説明する。デジタルカメラの電源ボタンがＯＦＦの状態でメモリカードを交換した場合に、表示パネル１の表示が修正されないと、ユーザーに対して正しい情報を伝えることができない。このため、本実施の形態においては、先に述べたように、カード蓋１０の開閉に連動してマイクロスイッチ１３がＯＮ／ＯＦＦされる構成となっており、このマイクロスイッチ１３は、デジタルカメラの電源ボタンがＯＮの状態では、カード蓋１０が開いていることをユーザーに知らせるために使われている。
【００２９】
一方、デジタルカメラの電源ボタン５がＯＦＦの状態でカード蓋１０が開けられ、ユーザーがメモリカードを交換した後カード蓋１０を閉じると、マイクロスイッチがＯＦＦからＯＮの状態となる。このときのマイクロスイッチの切り替わり態様を、電源ボタンＯＦＦ後も動作している副ＣＰＵが検出して、主ＣＰＵシステムを起動させ、挿入されたメモリカードの残量を検知し、前回の撮影状態に照らし合わせて表示パネル１の撮影可能枚数表示部２２の表示を修正する。表示パネル１の修正が終わった後に、主ＣＰＵシステムの電源をＯＦＦにする。
【００３０】
また、ユーザーがメモリカードをデジタルカメラから抜き出しただけで、新たにメモリカードを挿入しなかった場合には、メモリカード挿入部に配置されているフォトセンサで検出され、図２の（Ｂ）に示すように、撮影可能枚数の表示部２２に、例えば「ＮＯ」の表示を行う。なお、変形例として、メモリカードの交換時には、表示パネル１にそれまで表示していた撮影可能枚数の表示を単に消去するだけの処理で済ませるようにすることもできる。
【００３１】
次に、カメラ動作停止中に、電池が交換された場合の表示パネル１の表示態様について説明する。メモリカードの交換の場合と同様に、デジタルカメラの電源ボタン５がＯＦＦになっている状態で電池を交換した場合に、表示パネル１の表示が修正されないと、ユーザーに対して正しい情報を伝えることができない。このため、本実施の形態においては、先に述べたように、電池室に電池を装着し電池蓋１５の開閉つまみ１６を閉方向にスライドさせると、本体内に設けられているマイクロスイッチがＯＮするような構成となっている。
【００３２】
そこで、デジタルカメラの電源ボタンがＯＦＦの状態で、電池蓋１５が開けられ、ユーザーが電池を交換した後電池蓋１５を閉じると、マイクロスイッチがＯＦＦからＯＮ状態になり、副ＣＰＵ（又は主ＣＰＵシステムの一部の制御回路を起動させるようにしてもよい）が、交換装着された電池の容量を確認し、表示パネル１にその容量に対応した電池残量の表示を行う。なお、主ＣＰＵシステムの一部の制御回路を起動している場合は、表示パネルの修正が終わった後に主ＣＰＵシステムの電源をＯＦＦにする。
【００３３】
また、ユーザーが電池を電池室より取り出しただけの場合は、電池蓋１５の閉動作によりマイクロスイッチがＯＮになっても電池が装着されていないため、副ＣＰＵも動作できないが、バックアップ電池（前回設定した撮影条件、各種モード等を記憶しておくためのもの）を内蔵させている場合は、その組み込まれているバックアップ電池により副ＣＰＵを起動し、電池室に配置されているフォトセンサにより電池が装着されていないことを検出し確認した後、表示パネル１の電池残量表示を、例えば図２の（Ｃ）に示すように、消してしまい、ユーザーに電池が装着されていないことを告知することができる。
【００３４】
なお、変形例として、電池交換時は、それまでの電池残量表示情報を単に消去するだけの処理で済ませるようにすることもできる。
【００３５】
電池残量表示は、例えば図２の（Ａ），（Ｂ）に示すようなシンボル表示であるが、電池の交換が必要なくらい電池残量が少なくなってきたときは、図２の（Ｄ）に示すような電池枠だけのシンボル表示を行うと共に、赤色の電池残量警告表示２３を行う。
【００３６】
また、表示パネル１への表示態様としては、次のような表示を行うことができる。すなわち、電源ボタン５がＯＮの状態で長時間何の操作もなされない場合は、カメラはスリープモード（上記カメラ動作停止中と同様な状態）に移行するが、スリープモードに移行した場合には、表示パネル１に、図２の（Ｅ）に示すように、スリープモードであることを強調するための他の表示を非表示にして、撮影可能枚数表示部２２に「ＳＬＰ」の表示を行って、ユーザーにスリープモードであることを告知するようにしてもよい。なお、この場合、他の表示を合わせて表示することもできる。
【００３７】
以上の表示パネル１への表示は、電池残量及び撮影可能枚数等の簡易的な表示のみとしたものを示したが、図３の（Ａ）に示すように、他の多くの情報を合わせて表示すると共に、表示パネル１にコメント表示エリア（例えば、  ２００ドット程度）２５を設けて、ユーザーが任意のコメントを入力表示するようにすることもできる。なお、図３の（Ａ）において、２６は画質モード表示、２７はスポット測光表示、２８はマニュアルホワイトバランス表示であり、このように表示した表示パネル１においては、電源ボタンＯＦＦ時には、少なくとも電池残量表示２１，撮影可能枚数表示２３，画質モード表示２６及びコメント表示を表示するように構成する。つまり、電源ボタン５のＯＮ操作時には、図３の（Ａ）に示した全表示を表示パネル１に表示し、電源ボタン５のＯＦＦ時には、電池残量、撮影可能枚数、画質モード、コメントの表示を行い、電源ボタン５のＯＮ操作時とは異なる表示を行うようにしてもよい。
【００３８】
コメント表示エリア２５は、例えば持主の名前、図３の（Ｂ）に示すような、プレゼントとしてデジタルカメラを贈る場合などの簡単なメッセージ（ＴＯ．ＴＡＲＯ）、あるいは簡単なメモ等の表示に使用することができる。表示パネル１のコメント表示エリア２５への記入は、デジタルカメラの電源ボタン５をＯＮにした状態で、メニューボタン６，十字ボタン７等により選択して表示させる。コメント表示（テキスト表示）をしたくない場合は、メニューボタン６，十字ボタン７等の操作により非表示にする。
【００３９】
次に、図１に示した実施の形態に係るデジタルカメラの電気的回路構成について、図４のブロック構成図に基づいて説明する。図４について、３１は撮影レンズ、３２は撮影レンズ３１の透過光を入射するＣＣＤ等の撮像素子、３３は撮像素子２から出力される撮像信号のゲイン調整、ＡＤ変換等の処理を行って画像データを生成する撮像回路、３４は画像データを一時的に記憶するＤＲＡＭ、３５は画像データに各種画像処理を施す画像処理回路、３６は画像データ等を表示するＬＣＤ表示部、３７は画像データ等を記録する着脱可能なメモリカードである。
【００４０】
３８は主ＣＰＵ−Ａで、画像処理関係の主要構成要素からなる主システムを制御するものであり、３９は副ＣＰＵ−Ｂで、画像処理関係以外の副次的システムを制御するものであって、低消費電力で動作するものである。また、電源ボタンによりカメラ動作が停止した後も、常に動作し、電源ボタンの操作、各スイッチやセンサ（４２，４３，４４，４５）の状態を監視している。４０はエレクトロクロミック素子を用いた表示パネル、４１は表示パネル４０を駆動する表示駆動部、４２は電池蓋の開閉を検知する電池蓋スイッチ、４３は電池の交換・装着の有無を検出するフォトセンサ、４４はメモリカード蓋の開閉を検知するカード蓋スイッチ、４５はメモリカードの交換・装着の有無を検出するフォトセンサ、４６は電池、４７は各部への電力を供給する電源部、４８は副ＣＰＵ−Ｂ３９等を駆動するためのバックアップ用電池、４９は電源ボタン、５０は十字ボタン、レリーズボタン等の操作部である。
【００４１】
次に、図４のブロック構成図に示した電気的回路構成をもつデジタルカメラの動作を、表示パネル４０の表示動作を中心にして、図５〜図９に示すフローチャートに基づいて説明する。まず図５のメインフローチャートに示すように、電源ボタンのＯＮ操作がなされると（ステップＳ１）、カメラの初期処理動作を行うサブルーチンステップに入る（ステップＳ２）。
【００４２】
初期処理動作のサブルーチンステップでは、図６のフローチャートに示すように、まず主ＣＰＵ−Ａ３８等が起動され（ステップＳ２−１）、チェック項目として、まず電池残量がチェックされる（ステップＳ２−２）。ここで電池残量が所定量以上あるか否かの判定が行われ（ステップＳ２−３）、もし所定量以上ない場合は、ＥＮＤへ移行する。所定量以上の電池残量がある場合は、次いで内部メモリの初期化とか、レンズ用センサの状態チェックなど各部の動作のチェックが行われ（ステップＳ２−４）、次いで各部の動作が正常であるか否かの判定が行われる（ステップＳ２−５）。ここで、もし各部の動作が正常でない場合はＥＮＤへ移行する。
【００４３】
各部の動作が正常の場合は、次いでメモリカード蓋が閉じられている否かの判定が行われ（ステップＳ２−６）、ここでもカード蓋が閉じられていない場合はＥＮＤに移行し、正常に閉じられている場合は、次いでメモリカードの残量チェックが行われ（ステップＳ２−７）、メモリカードの残量チェックが終わると、表示パネル４０へ電池残量、メモリカード残量、更には入力に応じてカメラ撮影条件等の各情報を表示する（ステップＳ２−８）。ここでメモリカード残量は、カード残容量から設定画質モードに応じた残枚数に換算して表示する。
【００４４】
以上の初期処理のサブルーチンステップ動作が終了すると、再びメインフローに戻って、各指示に応じた動作制御、つまり例えばレリーズボタンの操作が行われると撮影が開始し、モードの設定が行われると指示されたモードが設定される等の動作制御が行われ（ステップＳ３）、表示パネル４０に各指示、状態に応じた情報（電池残量、撮影可能枚数、カメラ撮影条件等に関する情報）を表示する（ステップＳ４）。次いで、コメント入力モードの指示がなされているか否かの判定が行われ（ステップＳ５）、コメント入力モードの指示がなされている場合には、図７に示すサブルーチンステップ動作のコメント入力処理が行われる（ステップＳ６）。コメント入力処理のサブルーチンステップでは、まずコメントモードに設定し（ステップＳ６−１）、次いで表示パネル４０にコメントを入力する（ステップＳ６−２）。
【００４５】
コメント入力モードの指示がない場合及びコメント入力処理が終了した場合は、次にスリープモードに入っているか否かの判定が行われる（ステップＳ７）。ここでは、スリープタイマをみていて、例えば５分間何らかの操作もなされなかった場合、スリープモードに入っていると判定する。スリープモードに入っていると判定されると、スリープ処理に入り（ステップＳ８）、図８に示すサブルーチンステップ動作が行われる。
【００４６】
スリープ処理では、まず表示パネル４０にスリープ表示を行い（ステップＳ８−１）、省電力化のため、表示パネル４０の駆動を停止する（ステップＳ８−２）。ここで、表示パネルへのスリープモードの表示は保持される。次いで、主ＣＰＵ−Ａ３８等の動作を停止させる（ステップＳ８−３）。そして、いずれかの操作ボタンの操作が行われるのを待機する（ステップＳ８−４）。いずれかの操作ボタンの操作が副ＣＰＵ−Ｂ３９で検出されると、主ＣＰＵ−Ａ３８等を起動し（ステップＳ８−５）、スリープ処理動作を終了する。
【００４７】
スリープ処理が終了すると、再びメインフローに戻り、電源ボタンのＯＦＦ操作が行われたか否かの判定が行われ（ステップＳ９）、ＯＦＦ操作が行われない場合は、各指示に応じた動作制御ステップＳ３へ戻り、ステップＳ３からステップＳ９までの動作が繰り返される。電源ボタンのＯＦＦ操作がなされると、表示パネル４０にＯＦＦ情報（電池残量、撮影可能枚数、コメント情報）を表示する（ステップＳ１０）。表示処理が終わると、表示パネル４０の駆動を停止し（ステップＳ１１）、主ＣＰＵ−Ａ３８等の動作を停止させる（ステップＳ１２）。
【００４８】
主ＣＰＵ−Ａ３８等の停止後は、カメラ動作停止時の処理ステップに入り（ステップＳ１３）、図９に示すサブルーチンステップ動作が行われる。動作停止時の処理ステップとしては、まず電池蓋が開閉されたか否かの判定が行われ（ステップＳ１３−１）、電池蓋が開閉操作された場合は、次に電池の有無の判定が行われる（ステップＳ１３−２）。電池が装着されている場合には、次いで電池残量のチェックが行われる（ステップＳ１３−３）。そしてチェック後、電池残量が所定量以上あるか否かの判定が行われ（ステップＳ１３−４）、電池残量が所定量以上ある場合は表示パネル４０に新たな電池残量を表示し（ステップＳ１３−５）、その後省電力化のため表示パネルの駆動を停止する（ステップＳ１３−６）。
【００４９】
一方、電池残量判定ステップＳ１３−４において電池残量が所定量以上ない場合は、残量が０か否かの判定を行い（ステップＳ１３−７）、残量が０である場合、並びに上記電池有無の判定ステップＳ１３−２において電池が装着されていない場合は、例えば図２の（Ｃ）に示したように、表示パネル４０（１）  の電池残量表示を消去する（ステップＳ１３−８）。残量が０か否かの判定ステップＳ１３−７において、電池残量が０でなく、１〜２枚程度の撮影が可能な僅かの残量である場合には、表示パネル４０（１）  に、例えば図２の（Ｄ）に示したように、電池枠だけの警告レベルの表示を行う（ステップＳ１３−９）。
【００５０】
次に、電池蓋の開閉判定ステップＳ１３−１において、電池蓋の開閉操作が行われていない場合は、カード蓋の開閉操作がなされたか否かの判定が行われる（ステップＳ１３−１０）。カード蓋が開閉操作された場合には、主ＣＰＵ−Ａ３８等を起動させて（ステップＳ１３−１１）、メモリカードの有無の判定が行われ（ステップＳ１３−１２）、メモリカードが挿入されている場合は、カード残量のチェックが行われ（ステップＳ１３−１３）、表示パネル４０にカード残量を表示する（ステップＳ１３−１４）。次いで、省電力化のため表示パネルの駆動を停止し（ステップＳ１３−１５）、その後主ＣＰＵ−Ａ３８等の動作を停止する（ステップＳ１３−１６）。一方、メモリカードの有無の判定ステップＳ１３−１２において、メモリカードが挿入されていない場合は、表示パネル４０（１）  に、例えば図２の（Ｂ）に示したように、撮影可能枚数（カード残量）表示を「ＮＯ」にし（ステップＳ１３−１７）、以下同様に表示パネル４０の駆動を停止した後、主ＣＰＵ−Ａ３８等を停止する。
【００５１】
以上のようにしてカメラ動作停止時処理のサブルーチンステップ動作が終了すると、再びメインフローに戻り、電源ボタンのＯＮ操作を待機して動作停止処理ステップＳ１３の動作を繰り返し（ステップＳ１４）、電源ボタンのＯＮ操作がなされると、初期処理ステップＳ２へ移行し、以降の各ステップ処理動作が繰り返えされる。
【００５２】
なお、上記図９に示したカメラ動作停止時の処理ステップでは、電池蓋開閉判定ステップ動作がカード蓋開閉判定ステップ動作より先に行われるようにした態様を示したが、逆にカード蓋開閉判定ステップ動作を電池蓋開閉判定ステップ動作より先に行うようにしてもよいのは勿論である。
【００５３】
次に、図４に示した第１の実施の形態の変形例について説明する。この変形例に係るデジタルカメラは、図１０のブロック構成図に示すように、図４に示した第１の実施の形態における電池の交換・有無検出フォトセンサ４３及びメモリカードの交換・有無検出フォトセンサ４５を省いて構成したものである。
【００５４】
このように構成した変形例に係るデジタルカメラ動作は、図１１のフローチャートに示すように、第１の実施の形態に係る図９に示したカメラ動作停止時処理のサブルーチン動作ステップにおける、電池有りの判定ステップＳ１３−２及びメモリカード有りの判定ステップＳ１３−１２及びそれに伴う表示パネルのカード残量表示をＮＯにする処理ステップＳ１３−１７が省略されるだけで、他の処理動作は第１の実施の形態の動作と同様に行われる。
【００５５】
したがって、この変形例においては、電池及びメモリカードの交換・装着の有無の検出はできないけれども、電池蓋及びメモリカード蓋の開閉操作は検出することができ、カメラ動作停止時に電池蓋及びカード蓋の開閉操作に基づく新たな電池残量及びカード残量の表示を行わせることができる。
【００５６】
次に、図４に示した第１の実施の形態の他の変形例について説明する。この変形例に係るデジタルカメラは、図１２のブロック構成図に示すように、図４に示した第１の実施の形態における電池蓋スイッチ４２及びカード蓋スイッチ４４を省いて構成したものである。
【００５７】
このように構成した変形例に係るデジタルカメラの動作は、図１３のフローチャートに示すように、第１の実施の形態に係る図９に示したカメラ動作停止時処理のサブルーチン動作ステップにおける、電池蓋が開閉されたか否かの判定ステップＳ１３−１、及びカード蓋が開閉されたか否かの判定ステップＳ１３−１０が省かれ、それらの判定ステップ部分に、電池交換の判定ステップＳ１３−１８及びメモリカード交換の判定ステップＳ１３−１９を入れ換え、また電池有りの判定ステップＳ１３−２及びカード有りの判定ステップＳ１３−１２並びにそれに伴うステップＳ１３−１７を省いた態様の動作ステップで、カメラ動作停止後の処理ステップ動作が、第１の実施の形態と同様に行われる。
【００５８】
したがって、この変形例においては、電池蓋及びカード蓋の開閉操作は検出できないけれども、電池及びメモリカードの交換を検出することができ、カメラ動作停止時に電池及びメモリの交換に基づく新たな電池残量及びカード残量の表示を行わせることができる。
【００５９】
次に、本発明の第２の実施の形態に係るデジタルカメラについて説明する。この実施の形態は、電池蓋及びメモリカード蓋の開閉操作を検知するマイクロスイッチ、並びに電池の交換・装着の有無及びメモリカードの交換・装着の有無の検知用マイクロスイッチを省いた簡易型のデジタルカメラに本発明を適用したもので、その電気的な回路構成を図１４に示す。この実施の形態に係るデジタルカメラは、図４に示した第１の実施の形態に係るデジタルカメラに対比して、電池蓋スイッチ４２，カード蓋スイッチ４４，電池交換・有無検出フォトセンサ４３，メモリカード交換・有無検出フォトセンサ４５及びそれらのスイッチのＯＮ、ＯＦＦを検出するための副ＣＰＵ−Ｂ３９を起動するためのバックアップ用電池４８が省かれている点が異なるのみで、他の構成は図４に示した第１の実施の形態に係るデジタルカメラと同様である。
【００６０】
また、この第２の実施の形態に係るデジタルカメラの表示パネル４０の表示動作を中心とした動作も、図５に示した第１の実施の形態に係るデジタルカメラの動作フローにおけるカメラ動作停止後の処理ステップＳ１３に係る動作がないだけで、他の動作ステップは同じであり、同様な動作を行わせることができる。
【００６１】
次に、第３の実施の形態について説明する。この実施の形態は、ハード構成は第１あるいは第２の実施の形態と同じであるが、表示パネルへの表示をカメラ動作中は何も表示を行わず、スリープモード時及び電源ボタンのＯＦＦ時にのみ表示を行うように構成したものである。よって、ハード構成については図示を省略し、その動作を図１５のフローチャートに基づいて説明する。なお、このフローチャートは、第３の実施の形態を第２の実施の形態に係るデジタルカメラに適用したものを示している。まず電源ボタンのＯＮ操作がなされると（ステップＳ２１）、主ＣＰＵ−Ａ等が起動して（ステップＳ２２）、図示のフローチャートでは省略しているが通常の初期処理や、各指示に応じた動作制御が行われる。この実施の形態では、この時点では表示パネルには何も表示は行わず、各情報はＬＣＤ表示部あるいはファインダに表示される。
【００６２】
次に、例えば５分間何らの操作がなされなかった場合は、スリープタイマによりスリープモードに入るようになっているので、スリープモードに入っているか否かの判定が行われ（ステップＳ２３）、スリープモードに入っている場合は、スリープ処理に移行し（ステップＳ２４）、図８のフローチャートに示したサブルーチンステップ動作が行われ、表示パネルにスリープモードの表示を行った後、表示パネルの駆動を停止し、主ＣＰＵ−Ａ等の動作を停止する。そして、操作ボタンの操作が検出されてスリープモードが解除されると、主ＣＰＵ−Ａ等が起動し、メインフローへ戻って電源ボタンのＯＦＦ操作を待機する（ステップＳ２５）。
【００６３】
ここで、電源ボタンのＯＦＦ操作がなされると、はじめて表示パネルにＯＦＦ情報（電池残量、撮影可能枚数、コメント情報等）を表示し（ステップＳ２６）、表示パネルの駆動を停止し（ステップＳ２７）、次いで主ＣＰＵ−Ａ等の動作を停止して（ステップＳ２８）、電源ボタンのＯＮ操作を待機する（ステップＳ２９）。
【００６４】
この実施の形態では、以上のように、表示パネルへの表示をカメラ動作が行われていないときのみ表示することにより、カメラ動作時にＬＣＤ表示部などへの表示と重複させることなく、省電力化を図りながら、カメラ動作停止時には所定の表示を行うことができる。
【００６５】
上記実施の形態においては、本発明をデジタルカメラに適用したものについて説明を行ったが、本発明は、表示パネルをもつ録音装置、ＰＤＡ、携帯電話等の携帯機器にも勿論適用できるものである。
【００６６】
以上実施の形態について説明を行ったが、本発明の特徴とする構成、並びにその構成に基づく効果の一例をまとめて示すと、次の通りである。
【００６７】
本発明の第１の特徴とする構成は、請求項１に記載したカメラであり、このように構成されたカメラにおいては、表示手段に、カメラ動作停止時においても、省電力化を達成しながら且つ再起動をする操作を必要とせずに、カメラ情報を表示させ、常にカメラの状態を把握することが可能となる。
【００６８】
また第２の特徴とする構成は、請求項２に記載したカメラであり、このように構成されたカメラにおいては、表示手段に、カメラ動作停止時と共にカメラ動作中においても、カメラ情報を表示させることができる。
【００６９】
また第３の特徴とする構成は、請求項３に記載したカメラであり、このように構成されたカメラにおいては、表示手段に、カメラの状態に対応させた情報を表示させることがてきる。
【００７０】
また第４の特徴とする構成は、請求項４に記載したカメラであり、このように構成されたカメラにおいては、省電力化を達成しながら、カメラ動作が停止か一時停止のいずれかの状態にあるかが一目で判別することができる。
【００７１】
また第５の特徴とする構成は、請求項５に記載したカメラであり、このように構成されたカメラにおいては、表示手段に、カメラ動作停止直前のカメラ情報を表示することができる。
【００７２】
また第６の特徴とする構成は、請求項６に記載したカメラであり、このように構成されたカメラにおいては、表示手段に、カメラ動作停止時に電池残量又は記録媒体の残量に関する情報が表示されるので、当該カメラがそのまま使用可能か否かが分かり、またカメラを起動しなくても、新たな電池や記録媒体の準備の必要性が直ちにわかる。
【００７３】
また第７の特徴とする構成は、請求項７に記載したカメラであり、このように構成されたカメラにおいては、表示手段に、カメラ動作停止後に電池が交換等された場合でも、正しい情報を表示させることがてきる。
【００７４】
また第８の特徴とする構成は、請求項８に記載したカメラであり、このように構成されたカメラにおいては、表示手段に、カメラ動作停止後に記録媒体が交換等された場合でも、正しい情報を表示させることがてきる。
【００７５】
また第９の特徴とする構成は、請求項９に記載したカメラであり、このように構成されたカメラにおいては、表示手段に、カメラ動作停止中にカメラ情報以外の何らかの情報を表示することができる。
【００７６】
また第１０の特徴とする構成は、請求項１０に記載したカメラであり、このように構成されたカメラにおいては、カメラ動作停止後に表示できる表示手段を容易に構成することがてきる。
【００７７】
また第１１の特徴とする構成は、請求項１１に記載した携帯機器の構成であり、このように構成された携帯機器においては、表示手段に、携帯機器の動作停止時においても、省電力化を達成しながら且つ再起動する操作を必要とせずに、携帯機器の情報を表示させ、常に携帯機器の状態を把握することが可能となる。
【００７８】
また第１２の特徴とする構成は、請求項１２に記載した携帯機器の構成であり、このように構成された携帯機器においては、携帯機器の動作停止後に表示できる表示手段を容易に構成することができる。
【００７９】
【発明の効果】
以上実施の形態に基づいて説明したように、本発明によれば、カメラあるいは携帯機器の動作停止時においても、表示手段に、省電力化を達成しながら、カメラ情報あるいは携帯機器情報を表示させ、常にカメラあるいは携帯機器の状態を把握することの可能なカメラあるいは携帯機器を実現することができる。
【図面の簡単な説明】
【図１】本発明の第１の実施の形態に係るデジタルカメラを示す図である。
【図２】図１に示した第１の実施の形態における表示パネルへの簡略的な表示態様を示す図である。
【図３】図１に示した第１の実施の形態における表示パネルへの詳細な表示態様及びコメント表示例を示す図である。
【図４】図１に示した第１の実施の形態における電気的回路構成を示すブロック構成図である。
【図５】図１及び図４に示した第１の実施の形態の動作を説明するためのフローチャートである。
【図６】図５に示したフローチャートにおける初期処理のサブルーチン動作ステップを示すフローチャートである。
【図７】図６に示したフローチャートにおけるコメント入力処理のサブルーチン動作ステップを示すフローチャートである。
【図８】図６に示したフローチャートにおけるスリープ処理のサブルーチン動作ステップを示すフローチャートである。
【図９】図６に示したフローチャートにおけるカメラ動作停止時処理のサブルーチン動作ステップを示すフローチャートである。
【図１０】図４に示した第１の実施の形態の変形例の電気的回路構成を示すブロック構成図である。
【図１１】図１０に示した変形例におけるカメラ動作停止時の処理動作を説明するためのフローチャートである。
【図１２】図４に示した第１の実施の形態の他の変形例の電気的回路構成を示すブロック構成図である。
【図１３】図１２に示した変形例におけるカメラ動作停止時の処理動作を説明するためのフローチャートである。
【図１４】本発明の第２の実施の形態に係るデジタルカメラの電気的な回路構成を示すブロック構成図である。
【図１５】本発明の第３の実施の形態に係るデジタルカメラの動作を説明するためのフローチャートである。
【符号の説明】
１  表示パネル
２  ストロボ
３  モードダイヤル
４  レリースボタン
５  電源ボタン
６  メニューボタン
７  十字ボタン
８  ファインダ
９  ＬＣＤ表示部
１０  カード蓋
１１  爪
１２  係止孔
１３  マイクロスイッチ
１４  カード挿入部
１５  電池蓋
１６  開閉つまみ
２１  電池残量表示部
２２  撮影可能枚数表示部
２３  電池残量警告表示部
２５  コメント表示エリア
２６  画質モード表示
２７  スポット測光表示
２８  マニュアルホワイトバランス表示
３１  撮影レンズ
３２  撮像素子
３３  撮像回路
３４  ＤＲＡＭ
３５  画像処理回路
３６  ＬＣＤ表示部
３７  メモリカード
３８  主ＣＰＵ−Ａ
３９  副ＣＰＵ−Ｂ
４０  表示パネル
４１  表示駆動部
４２  電池蓋スイッチ
４３  電池交換・有無検出フォトセンサ
４４  カード蓋スイッチ
４５  カード交換・有無検出フォトセンサ
４６  電池
４７  電源部
４８  バックアップ用電池
４９  電源ボタン
５０  操作部
【図１】
2004219679.tif 000003
【図２】
2004219679.tif 000004
【図３】
2004219679.tif 000005
【図４】
2004219679.tif 000006
【図５】
2004219679.tif 000007
【図６】
2004219679.tif 000008
【図７】
2004219679.tif 000009
【図８】
2004219679.tif 000010
【図９】
2004219679.tif 000011
【図１０】
2004219679.tif 000012
【図１１】
2004219679.tif 000013
【図１２】
2004219679.tif 000014
【図１３】
2004219679.tif 000015
【図１４】
2004219679.tif 000016
【図１５】
2004219679.tif 000017